(57)【要約】【課題】  身の回り品を寝具側のテーブルに本、目覚まし時計、携帯電話、腕時計、携帯液晶テレビ、ゲーム機、ＭＤ、ＣＤの音楽プレーヤーを置いているが寝具より起き上がり這い出てこれらを使用操作している。  身の回り品をベット寝具より這い出る事無く仰向けに横たわった状態で操作管理が出来ない点にある。【解決手段】  顔面上部に透明のテーブルを設ける事で、テーブル上に下向きに上記記述した身の回り品を載せ、液晶薄型モニター、スピーカーを貼りつける事で、本、腕時計、携帯電話のメール、ワンセグ携帯電話のテレビを見るＤＶＤビデオ観賞が出来、音楽を聴くＭＤ、ＣＤプレーヤーを横たわり起き上がる事無く操作出来る利点があり、睡眠前のテレビニュース、早朝の目覚まし時計替わりにモーニングテレビとして活用出来るテーブルとなる。【選択図】図１
2008023291.tif 000002
【特許請求の範囲】
【請求項１】
顔面上部に顔面を覆う板状部材（１）を設けた事を特徴とする特許請求項１の多用途テーブル。
【請求項２】
顔面を覆う板部材（１）に透明板状材質部材を用い顔面上部に設けた事を特徴とする特許請求項１の多用途テーブル。
【請求項３】
透明板部材（１）を曲面形状にし顔面上部に設けた事を特徴とする特許請求項１の多用途テーブル。
【請求項４】
顔面を覆う板状部材（１）にフレネルレンズを設けた事を特徴とする特許請求項１の多用途テーブル。
【請求項５】
顔面を覆う板状部材（１）に液晶モニター（２）を設けた事を特徴とする特許請求項２の多用途テーブル。
【請求項６】
顔面を覆う板状部材（１）両側にスピーカー（３）を設けた事を特徴とする特許請求項２の多用途テーブル。
【請求項７】
顔面を覆う透明板部材（１）を支える支持部材（４）を寝具底部間に設けた事を特徴とする特許請求項３の多用途テーブル。
【請求項８】
透明板部材（１）一端に透明板部材を支える支持部材（４）を設けた事を特徴とする特許請求項３の多用途テーブル。
【請求項９】
透明板部材（１）の中央に透明板部材を支える支持部材（４）を設けた事を特徴とする特許請求項３の多用途テーブル。
【請求項１０】
透明板部材（１）の両端に透明板部材を支える支持部材（４）を設けた事を特徴とする特許請求項３の多用途テーブル。
【請求項１１】
透明板部材（１）を支える支持部材（４）一端に透明板部材を左右に傾斜し回転する部材金具（５）を設けた事を特徴とする特許請求項３の多用途テーブル。
【請求項１２】
支持部材（４）内に透明板部材（１）を差し込み取り付けする溝（６）を設けた事を特徴とする特許請求項４の多用途テーブル。
【請求項１３】
透明板部材（１）両端をＬ型状に適度に曲げ、透明板部材を曲面形状に曲げ支持部材（４）内に設けた溝（６）に差し込み取り付けした事を特徴とする特許請求項４の多用途テーブル。
【請求項１４】
支持部材（４）に設けた顔面を覆う板状部材（１）を頭部後方に移動できる事を特徴とする特許請求項５の多用途テーブル。
【請求項１５】
支持部材（４）縦中央一端に上部支持部材を後部に旋廻する部材（８）を設けた事を特徴とする特許請求項５の多用途テーブル。
【請求項１６】
支持部材（４）を上部、下部に分割し上部支持部材を円柱形部材を用い下部支持部材を円筒径のパイプを設けた事を特徴とする特許請求項５の多用途テーブル。
【請求項１７】
上部円柱形支持部材を下部円筒支持部材に挿入し左右後方に旋廻する部材とした事を特徴とする特許請求項５の多用途テーブル。
【請求項１８】
支持部材（４）を二分割にし自在金具（９）を設け分割した支持部材を接続し上部支持部材を跳ね上げ機能を保持した事を特徴とする特許請求項５の多用途テーブル。
【請求項１９】
透明板部材（１）の支持部材下端にキャスターを設けた事を特徴とする特許請求項５の多用途テーブル。
【請求項２０】
支持部材（４）上部先端部材内に透明板部材（１）を傾斜する為の溝部（１０）を設けた事を特徴とする特許請求項６の多用途テーブル。
【請求項２１】
支持部材（４）上部一端に透明板部材（１）の傾斜角度を調整するボルト（１４）を設けた事を特徴とする特許請求項６の多用途テーブル。
【請求項２２】
支持部材（４）上部に透明板部材（１）を傾斜し取り付ける為の取り付け部材（１８）を設けた事を特徴とする特許請求項６の多用途テーブル。
【発明の詳細な説明】
【技術分野】
【０００１】  本発明は、仰向け横たわり寝転んで新聞、読書、テレビを見る事を可能にする読書補助器具、テレビ台に関する。
【背景技術】
【０００２】  本を読書するには机に向かい椅子に座り又は、テーブルに本を広げ読書している。【０００３】  睡眠前に本を読む、携帯電話のテレビを見るメールを見る、ＣＤ、ＭＤの音楽を聴く、時計を見る等の時ベット側のテーブルにこれらを置いて使用している。【０００４】  ベットに横たわり寝転んで本を広げて見る時仰向けになり本を持ち上げ読むなどをしている。【０００５】  寝転んでの読書の難点は本を持つ腕がだるくなる等長時間の読書は出来なかった。【０００６】  寝転んでの読書の難点を解決する為に頭部より突き出たアーム先端に本を開き固定する製品がある。【０００７】  又、寝具側のテーブルにテレビを載せて観ているが、一定姿勢の横向きの為、長時間のテレビ観賞には不向きであった。【０００８】  寝具側のテーブル目覚まし時計、携帯電話のメール、腕時計、携帯電話のテレビ、ゲーム機、ＭＤ、ＣＤの音楽プレーヤーを置いているが寝具より這い出てこれらを操作している。
【特許文献１】特願平０８−０４８６１９
【特許文献２】特願平０６−３１０４８４
【特許文献３】特願２００３−４１０２５２
【発明の開示】
【発明が解決しようとする課題】
【０００９】  解決しようとする問題点は、上記記述した身の回り品をベット寝具より這い出る事無く仰向けに横たわった状態で操作管理が出来ない点にある。
【課題を解決しようとする課題】
【００１０】  顔面上部に透明のテーブルを設け、テーブル上に下向きに上記記述した身の回り品を載せ、スピーカーを貼りつける事で、本、腕時計、携帯電話のメール、携帯液晶テレビを仰ぎ見る事が出来、音楽を聴くＭＤ、ＣＤプレーヤーを起き上がる事無く操作出来る利点がある。
【発明の効果】
【００１１】  顔面を覆うテーブルを透明部材を用いテーブル上に伏せた本、モニター、身の回り品を下から見上げる事で横たわり休養姿勢でのこれらの身の回り品を容易に使用でき、テーブルを適度に左右に傾ける事が出来、テーブルに広げた本を読む姿勢を仰向けの姿勢から横向きの姿勢でテレビ、読書が出来る特徴がある。
【発明を実施する為の最良の形態】
【００１２】  支持部材（４）下部を寝具底に設置し、支持部材縦中央一端に顔面を覆う板状部材（１）を回転傾斜する部材金具（５）を設け支持部材上部に透明板部材を差し込み取り付けする溝（６）設ける事で横たわり好きな姿勢でのテレビ、新聞、読書、音楽観賞が可能なテーブルが実現した。
【実施例１】
【０００１３】  顔面を覆う板状部材（１）は、板状の透明材質の塩ビ板、アクリル板、ポリカーボネイト等のプラスチック系の材質を用いるが、安全性に優れ割れないガラス板を用いても良い。【００１４】  顔面を覆う板状部材（１）を支持部材（４）の差し込み取り付けする溝（６）に差込み設置する。【００１５】  顔面を覆う板状部材（１）を適度の半円形、弓状の形状とし支持部材（４）の溝（６）に差込み設置する。【００１６】  顔面を覆う板状部材（１）を半円形形状にする事でテーブルに載せる重さを薄い板の割りに大きく得られ、板状部材（１）を薄く軽い部材で済む長所がある。【００１７】  支持部材（４）の差し込み取り付けする溝（６）は溝内を、顔面を覆う板状部材（１）が前後移動することが出来る為の溝である図７。【００１８】  顔面を覆う板状部材（１）にフレネルレンズを用い、文庫本等の文字の小さい文字を大きくし読書が可能なルーペ機能を持たせた顔面を覆う板状部材として用いても良い。【００１９】  顔面を覆う板状部材（１）を支持部材（４）に差し込む事無く、支持部材上部にボルト、ビス又は、粘着両面テープを用い取り付けしても良い。【００２０】  顔面を覆う板状部材（１）に本、モニター、携帯電話、ゲーム、ＭＤ等を下向きに伏せ横たわり仰向けになり見上げる事でこれらを使用するが、寝具に起きて使用する場合は、多様とテーブルを寝具上半身脇に設置し通常の読書テーブルとして本等を広げ使用できる。
【実施例２】
【００２１】  顔面を覆う板状部材（１）中央に液晶テレビモニターを設け、板状部材左右にスピーカーを設ける図１０。【００２２】  顔面を覆う板状部材（１）中央に薄型液晶テレビモニターを貼り付けし板状部材左右にシート状スピーカーを貼り付けしても良い。【００２３】  顔面を覆う板状部材（１）にＣＤ、ＭＤプレーヤーを載せ板状部材左右に設けたシート状スピーカーを活用しても良い。
【実施例３】
【００２４】  顔面を覆う透明板部材（１）を支える支持部材（４）を寝具底部間に設け支え、支持部材縦中央一端に透明板部材を左右に傾斜回転する部材金具（５）を設ける。【００２５】  板状部材（１）を左右に傾斜する部材金具（５）は、支持部材を重ね合わせ、ボルト、ワッシャー、座金、ナットを用い適度のボルトの締め付け圧力で支持部材が傾く事が出来る部材構造である図１、図２。【００２６】  支持部材（４）上端に溝（６）を設け、顔面を覆う透明板部材（１）を差込み取り付けする図５、図７。【００２７】  溝（６）の大きさ深さは、顔面を覆う透明板部材（１）が差し込み外れ落ちしない程度の溝の深さとし、溝幅は板部材の厚さで、板部材（１）が適度の力で前後にスライド、移動できる溝幅とする。【００２８】  透明板部材を左右に傾斜回転する部材金具（５）は、モニター、本など長時間仰向けでの姿勢で疲れたら、テーブルを左右どちらかに傾斜する事で体が横向きでテレビ読書が出来る姿勢を変えて見る為の部材である。【００２９】  寝具上に起き上がりテーブルを活用する場合、寝具上半身脇にテーブルを設置し上向きに回転し、読書テーブル、適度の傾斜を持つテレビモニターを見る事等が出来る図１０。
【実施例４】
【００３０】  透明板部材（１）一端に支持部材（４）を取り付けしても良い図６。【００３１】  透明板部材（１）の中央に透明板部材を支える支持部材（４）を設けても良い図６。【００３２】  透明板部材（１）の両端に透明板部材を支える支持部材（４）を設けても良い図６。
【実施例５】
【００３３】  支持部材（４）に設けた顔面を覆う板状部材（１）を頭部後方に移動できるように支持部材を頭部後方に長くし溝（６）を設け、板状部材（１）をスライド、移動できるようにする７図。【００３４】  支持部材（４）内縦中央一端に丸ピンのシャフト部材（９）を設け、上部支持部材が左右どの方向にも旋廻する部材（８）である図５。【００３５】  支持部材（４）を上部、下部に分割し上部支持部材に円柱形部材を用い下部支持部材を円筒径のパイプを設け、パイプ内に上部円柱形部材を挿入し上部支持部材が左右どの方向にも旋廻できる部材である図８。【００３６】  上部支持部材を下部支持部材に差込設置する事により、寝具敷き布団、ベットシーツを交換する際、上部支持部材を下部支持部材より引き抜き撤去が出来シーツ交換時上部支持部材、テーブル部材がシーツ交換作業の邪魔に成る事が無い。【００３７】  支持部材（４）を二分割にし自在金具（９）を設け分割した支持部材を接続した図４。【００３８】  自在金具（９）を既存の兆番を用いて上部支持部材を後方に跳ね上げる構造としても良い図４、図８。【００３９】  分割された支持部材を重ね合せボルト、ワッシャー、座金、ナットを用い適度のボルト締め付け圧力で固定し上部支持部材を跳ね上げる構造としても良い。【００４０】  透明板部材（１）の支持部材下端にキャスターを設け寝具ベット頭部後方に移動が出来るようにしても良い。【００４１】  支持部材下端にキャスターを取り付けベット下部の頭部、又はベット上半身脇を移動できるようにする。【００４２】  上記実施例は、起き上がる時、又寝転ぶ時等に顔面を覆う板状部材（１）が障害とならない様に頭部後方に跳ね上げ、移動する為の部材である。
【実施例６】
【００４３】  通常は、支持部材溝（６）に透明板部材（１）を差込テーブルに身に廻り品を載せ使用するが、モニター、読書など長時間ものを見る場合は、支持部材（４）上部先端部材内にテーブルを傾斜する為の傾斜角の溝部（１０）を設け顔面を覆う板状部材（１）を取り付ける事で目線がテーブルに垂直になる為、モニター、本等が見やすくなる図４。【００４４】  透明板部材（１）の傾斜角度を調整するボルト（１４）は、テーブルの傾斜角度を調整する為のボルトで有り、ボルトの挿入長さで任意のテーブル傾斜角度が得る為の部材である図８。【００４５】  支持部材（４）上部に透明板部材（１）を傾斜し取り付ける為の取り付け部材（１８）を設け、取り付け部材（１８）に透明板部材（１）を差込取り付ける図９。【００４６】  上部支持部材を傾斜する事で顔面を覆う板状部材（１）を仰ぎ見る事無く自然の目線上にテーブルが傾斜する為、モニター、本等が見やすくなる。【００４７】  実施例６の部材等は、長時間のビデオ鑑賞、読書等よる目の疲れを防止する為の部材等である。
【産業上の利用可能性】
【００４８】  横たわり液晶モニターを見ながらテレビ、ゲーム、ＤＶＤのビデオ鑑賞、テレビカメラを設けるとテレビ電話、音楽鑑賞、読書、寝具上部に移動可能なテーブルを設けパソコンキーボード、マウスを載せ仰向けによこたわった状態でパソコンを操作が出来る等、様々な用途に活用出来る範囲の広いテーブル製品に成る。
【図面の簡単な説明】
【００４９】
【図１】は、本発明の多用途テーブルの正面斜視図と本を寝転んで見上げた部分斜視図である。
【図２】は、透明板部材（１）板ガラスを用いた斜視図、透明板部材（１）にプラスチック板材を用い半円形状のテーブルとしテーブルを傾けた斜視図。
【図３】は、溝６、傾斜角の溝部１０の部分拡大図と実施斜視図。
【図４】は、支持部材（４）を二分割にし自在金具（９）を設けた図で上部支持部材を頭部に跳ね上げた状況斜視図。
【図５】は、上部支持部材に旋廻する部材を設け左右に旋廻できる斜視図。
【図６】は、支持部材を透明板部材一端に設けた図、透明板部材中央に支持部材を設けた図、透明板部材両端に支持部材を設けた図である。
【図７】支持部材（４）を後部に長くしテーブル（１）を後部に移動する工程斜視図。
【図８】は、テーブルを傾斜した工程図、傾斜角の調整ボルト部分拡大図。
【図９】支持部材上端に差し込み取り付しけた透明板部材を傾斜する為の取り付け部材（１８）状況斜視図。
【図１０】支持部材下端にキャスターを設けた斜視図。
【符号の説明】
【００５０】１    顔面を覆う透明板状部材      ２    液晶テレビモニター
３    スピーカー                  ４    支持部材
５    回転する部材金具            ６    溝
７    後方に移動できる部材        ８    旋廻する部材
９    自在金具                    １０  傾斜角の溝部
１１  折り曲げ締め付け部材        １２  丸ピンのシャフト
１３  本                          １４  テーブルの傾斜角度を調整するボルト
１５  円柱形支持部材              １６  円筒形支持部材
１７  キャスター                  １８  透明板部材を傾斜する為の取り付け部材
１９  スピーカー                  ２０  液晶モニター（テレビ）
【図１】
2008023291.tif 000003
【図２】
2008023291.tif 000004
【図３】
2008023291.tif 000005
【図４】
2008023291.tif 000006
【図５】
2008023291.tif 000007
【図６】
2008023291.tif 000008
【図７】
2008023291.tif 000009
【図８】
2008023291.tif 000010
【図９】
2008023291.tif 000011
【図１０】
2008023291.tif 000012